(57)【要約】【課題】遠心式送風機のモータを冷却するための冷却用ブレードをボス部の内周に沿って設けることにより、冷却用ブレードを収納するケースの容積を変えることなく前記遠心式送風機の重量を低減する。【解決手段】冷却用ブレード５０をファン２２のボス部３８の内周に沿って設置する。前記冷却用ブレード５０は、送風用ブレード４２に対向してボス部３８の内曲面に円周方向に沿って等角度で互いに離間するように複数個配置される。【選択図】図１
2004027892.tif 000002
【特許請求の範囲】
【請求項１】
回転駆動力が伝達されるボス部と、
前記ボス部の外周端近傍から垂直方向に延伸され円周方向に沿って設けられた送風用ブレードと、
前記ボス部の内側に設置された冷却用ブレードと、
を備え、
前記冷却用ブレードは、前記送風用ブレードに対して前記ボス部の内周に沿って設けられたことを特徴とする遠心式送風機。
【請求項２】
請求項１記載の遠心式送風機において、
前記冷却用ブレードの枚数が前記送風用ブレードの枚数よりも多く設けられることを特徴とする遠心式送風機。
【発明の詳細な説明】
【０００１】
【発明の属する技術分野】
本発明は、遠心式送風機に関し、一層詳細には、車両に搭載される空調装置に使用する遠心式送風機に関する。
【０００２】
【従来の技術】
従来技術に係る遠心式送風機の概略構造を図４に示す。
【０００３】
この遠心式送風機１はファン２とケース３とから構成される。ケース３は、上ケース３ａと下ケース３ｂとがクランプ、ねじ部材（図示せず）等により一体に組み付けられている。上ケース３ａには空気取入口４がベルマウス形状に形成され、下ケース３ｂには駆動用のモータ５が固定されている。ファン２は、ボス部６と、底部プレート８と、複数個のブレード９および前記ブレード９の頂部に環状に形成された保持リング１０とを含む。前記ボス部６、底部プレート８、ブレード９および保持リング１０は一体成形されてなる。
【０００４】
前記ボス部６は、その中心円筒部７がモータ５のシャフト１１に挿着され、該モータ５の回転駆動力が伝達される。なお、ボス部６は凸形状で中央部から半径方向外方に滑らかに湾曲する曲面に形成されている。前記底部プレート８は、ボス部６の終端部位で曲折されて曲折部１２を形成し、前記曲折部１２が半径方向外方に且つ下方に指向して傾斜面１３が形成される。
【０００５】
ブレード９は、底部プレート８の外周端１４の近傍から垂直上方に延伸する送風用ブレード９ａと、前記外周端１４から垂直下方に延伸するモータ５の冷却用ブレード９ｂとから形成され、底部プレート８の外周端１４の近傍にあって円周方向に所定の等角度で離間するように複数個配置される。なお、送風用ブレード９ａおよび冷却用ブレード９ｂは、一体成形され、両者の断面形状も略同じである。
【０００６】
保持リング１０は、環状に形成された送風用ブレード９ａの頂部と結合され、該送風用ブレード９ａの取付強度を補強する。
【０００７】
このように構成された遠心式送風機１では、空気がモータ５の駆動作用下にファン２の回転によりケース３の空気取入口４から該ファン２内に吸い込まれ、前記空気は、送風用ブレード９ａ間を通過してケース３内に送り込まれ、図示しないエバポレータに導かれる。
【０００８】
一方、冷却用ブレード９ｂの回転により発生する遠心力の作用により、モータ５の内部若しくは外周面の空気がケース３内に吹き出され、冷気が還流して前記モータ５が冷却される。
【０００９】
【発明が解決しようとする課題】
前記遠心式送風機１では、冷却用ブレード９ｂの高さは送風用ブレード９ａの高さの略１割程度になるように形成されている。このため、冷却用ブレード９ｂの高さが遠心式送風機１の全体の高さを大きくし、ブレード９を収納するケース３が大型化になる。しかも、送風用ブレード９ａと冷却用ブレード９ｂの断面形状が同一であるため、効率的に冷却用空気をモータ５の外周面に導くことができず、冷却効率がさほど向上しない。
【００１０】
本発明は、上記の問題点を解決するためになされたもので、モータを冷却する冷却用ブレードをボス部の内周に沿って設置し、しかも冷却用空気をモータ側へ導き易くする形状にすることにより、小型化が達成され且つ冷却を効率よく行うことが可能な遠心式送風機を提供することを目的とする。
【００１１】
【課題を解決するための手段】
上記の目的を達成するために、本発明は、回転駆動力が伝達されるボス部と、前記ボス部の外周端近傍から垂直方向に延伸され円周方向に沿って設けられた送風用ブレードと、
前記ボス部の内部に設置された冷却用ブレードと、
を備え、
前記冷却用ブレードは、前記送風用ブレードに対して前記ボス部の内周に沿って設けられたことを特徴とする。
【００１２】
本発明は、冷却用ブレードをボス部の内側に設置し、しかも冷却用ブレードの枚数を増やすことにより駆動用モータを効率よく冷却するようにし、さらに冷却用ブレードの高さを短くすることにより、遠心式送風機の小型化を達成することを可能とする。すなわち、本発明によれば、前記冷却用ブレードの枚数が前記送風用ブレードの枚数よりも多く設けられているために空気の流れが速くなり、遠心式送風機を構成する駆動用モータをより一層効率よく冷却することができる。
【００１３】
【発明の実施の形態】
以下、本発明に係る遠心式送風機につき好適な実施の形態を挙げ、添付の図面を参照して詳細に説明する。
【００１４】
図１は、本発明の実施の形態に係る遠心式送風機２０の概略構成を示す要部縦断面である。
【００１５】
遠心式送風機２０は、ファン２２とケース２４とから構成される。ケース２４は、図示しない空気出口部に連接される上ケース２６と下ケース２８とがクランプ、ねじ部材（図示せず）等により一体に組み付けられている。
【００１６】
上ケース２６には、空気取入口３０がベルマウス形状に形成され、下ケース２８には、モータブラケット２９がねじ部材（図示しない）により固定される。前記モータブラケット２９の膨出形成された凹部３２に駆動用のモータ３４を圧入し、挿着する。なお、モータブラケット２９に防水カバー３６が取着されており、この防水カバー３６によりモータ３４に対する水の浸入が阻止される。
【００１７】
ファン２２は、ボス部３８と、複数個よりなる送風用ブレード４２および前記送風用ブレード４２の頂部に環状に形成されたシュラウド４４とが一体成形されている。
【００１８】
ボス部３８は、その中心円筒部４６がモータ３４のシャフト４８に挿着されており、該モータ３４の回転駆動力が伝達される。なお、ボス部３８は凸形状で中央部から半径方向外方に滑らかに湾曲するような曲面に形成され、前記ボス部３８の外周端４０が半径方向外方に沿って略水平方向に延在されている。
【００１９】
送風用ブレード４２は、ボス部３８の外周端４０の近傍から略垂直上方に延伸して設けられ、図２に示されるように、前記ボス部３８とシュラウド４４の間で円周方向に沿ってブレード出口角β１の等角度で複数個配置される。
【００２０】
冷却用ブレード５０は、ボス部３８の内側に該ボス部３８の内曲面に沿って円周方向に設けられ、図２に示されるように、ブレード出口角β２の等角度で複数個配置される。図２から諒解されるように、送風用および冷却用ブレード４２、５０の湾曲面形状は、回転方向に対して逆に形成されている。
【００２１】
なお、送風用および冷却用ブレード４２、５０のそれぞれのブレード出口角β１、β２とは、図２に示されるように、該送風用および冷却用ブレード４２、５０とファン２２の外径縁Ｌ１、Ｌ２との交差角度であって、ファン２２の回転方向前進側より測定した角度をいう。
【００２２】
本実施の形態では、図２に示されるように、送風用ブレード４２の枚数は４０枚、ブレード出口角β１は７０度に設定され、冷却用ブレード５０の枚数は５９枚、ブレード出口角β２は９０度に設定される。
【００２３】
この場合、図２に示される送風用および冷却用ブレード４２、５０のそれぞれのブレード出口角β１、β２を同じ角度に設定し、また冷却用ブレード５０の枚数を、送風用ブレード４２の枚数よりも多く配置してもよい。
【００２４】
さらに、送風用および冷却用ブレード４２、５０のそれぞれのブレード出口角β１、β２は相互に異なる角度に設定してもよい。
【００２５】
また、図３に示されるように冷却用ブレード５０の枚数を送風用ブレード４２と同じ枚数にして、送風用ブレード４２および冷却用ブレード５０のブレード出口角β１、β２を、相互に異なる角度に配置してもよい。なお、この場合、送風用および冷却用ブレード４２、５０の湾曲面形状は、回転方向に対し同方向に形成させてもよい。
【００２６】
さらにまた、図２および図３に示されるように、冷却用ブレード５０の断面形状を送風用ブレード４２に一致させることなく任意に成形することにより、空気の流れを容易に変えることが可能になる。すなわちボス部３８の内部からモータ冷却後の空気を吹き出すように送風用ブレード４２と逆に傾斜する面を有するとよい。これにより、モータ３４の冷却をより一層効率よく行うことができる。
【００２７】
本実施の形態に係る遠心式送風機２０によれば、空気はモータ３４の駆動作用下に送風用ブレード４２の回転により空気取入口３０からファン２２内に吸い込まれ、前記空気はボス部３８に沿って流れ、前記ファン２２の遠心力により送風用ブレード４２間を通過してケース２４に送り込まれて図示しない空気出口部に導かれる。
【００２８】
一方、ファン２２の遠心力によってボス部３８の内側に負圧が発生し、この負圧によりケース２４内の空気はモータ３４の下部よりボス部３８の内側に吸い込まれて該ボス部３８に沿って流れる。さらに、冷却用ブレード５０の回転により空気の流れが加速されてモータ３４に当接するとともに、ボス部３８の外周端４０と下ケース２８との開口部からケース２４に流れるので、モータ３４の外周面が冷却される。
【００２９】
【発明の効果】
以上説明したように、本発明に係る遠心式送風機によれば、冷却用ブレードをファンのボス部の内周に沿って設けることにより、冷却用ブレードを収納するケースの容積を変ることなくファンの上下方向の寸法が短縮されるので、遠心式送風機の小型化が可能になり、重量を低減することができる。
【００３０】
また、冷却用ブレードの枚数は送風用ブレードの枚数よりも多く配置することが可能であり、さらに、冷却用ブレードの断面形状は送風用ブレードに一致させることなく任意に形成することができるので、空気の流れを容易に変えることによりモータの冷却をより一層効率よく行うことができる。
【図面の簡単な説明】
【図１】本実施の形態に係る遠心式送風機の概略構成を示す要部縦断面図である。
【図２】冷却用ブレードの枚数が送風用ブレードの枚数よりも多く配置された状態を示す平面図である。
【図３】冷却用ブレードおよび送風用ブレードが同じ枚数配置置された状態を示す平面図である。
【図４】従来技術に係る遠心式送風機の概略縦断面説明図である。
【符号の説明】
２０…遠心式送風機　　　　　　　　２２…ファン
２４…ケース　　　　　　　　　　　３０…空気取入口
３４…モータ　　　　　　　　　　　３８…ボス部
４２…送風用ブレード　　　　　　　５０…冷却用ブレード
【図１】
2004027892.tif 000003
【図２】
2004027892.tif 000004
【図３】
2004027892.tif 000005
【図４】
2004027892.tif 000006